(57)【特許請求の範囲】
【請求項１】
食材を収容する加熱庫と、加熱庫内の食材を加熱する加熱手段と、食材の出し入れ口となる加熱庫の前面開口部を被閉するグリル扉と、グリル扉が開かれるのに連動して加熱庫内から前面開口部の前方へ引き出され、閉じられるのに連動して加熱庫内へ収容される支持部材と、支持部材の一定位置に着脱可能な状態で載置されるグリルプレートとを備えたグリルであって、
加熱庫の前壁に、前面開口部の内周側へ張り出す張り出し部が設けられ、
グリルプレートは、上面が食材載置面となる浅皿状のプレート本体部と、プレート本体部の側縁から上方へ向けて延出するフランジ部とを有し、
前面開口部の前方へ引き出された支持部材にグリルプレートが上面を下向きとした状態で載置されたときに、前記フランジ部と張り出し部とが対向して配置されるように構成された、グリル。
【請求項２】
請求項１に記載のグリルにおいて、
グリルプレートは、支持部材のプレート支持部に嵌合する切欠部を有し、
前面開口部の前方へ引き出された支持部材にグリルプレートが上面を下向きとした状態で載置されたときに、前記切欠部がプレート支持部に嵌合されるように構成された、グリル。
【発明の詳細な説明】
【技術分野】
【０００１】
本発明は、加熱庫内に設置された焼き網をグリルプレートに取り替えて使用可能なグリルに関する。
【背景技術】
【０００２】
ガスコンロなどに組み込まれるグリルは、加熱庫内に収容された焼き網上に魚や肉などの食材を載置して加熱調理を行うように構成されたものが一般的である。ところが、このようなグリルの場合、加熱調理中に食材から飛散した油や水分が焼き網の隙間を通って加熱庫の内壁やグリルバーナなどに付着するため、加熱庫内に汚れが蓄積しやすい。また、この種のグリルでは、焼き網の下方に、食材から滲出した油や水分を受けるための汁受け皿が配設されており、加熱調理の終了後、焼き網および汁受け皿の両方を清掃する必要があるため、手入れも煩わしい。
【０００３】
このような汚れの蓄積や手入れの煩わしさを考慮し、従来、金属板材で形成された皿状のグリルプレートを焼き網に代えて使用可能なグリルが提案されている（例えば、特許文献１から３参照）。
【先行技術文献】
【特許文献】
【０００４】
【特許文献１】特開２０１４−１８６３８号公報
【特許文献２】特開２０１３−２２８２０３号公報
【特許文献３】実開平５−６８４３８号公報
【発明の概要】
【発明が解決しようとする課題】
【０００５】
しかしながら、上記従来のグリルでは、食材が効率的に加熱されるよう、加熱庫の大きさやグリルバーナの配置に合わせてグリルプレートの形状が設定されているため、グリルプレートが誤って裏向きの状態で加熱庫内に挿入された場合に、グリルプレートが加熱庫内部のグリルバーナやセンサ等の構成部品に接触し、故障や動作不良を招く虞があった。また、グリルプレートが裏向きのまま使用されてしまうと、食材が適切に調理できないだけでなく、食材から滲出した油や水分が通常使用時（表向きで使用された時）とは異なる部位へ漏出および飛散し、加熱庫内に不要な汚れを生じさせる虞もあった。
【０００６】
本発明は、上記課題を鑑みてなされたものであり、その目的は、加熱庫内に設置された焼き網をグリルプレートに取り替えて使用可能なグリルにおいて、グリルプレートの誤セットを起因とする不具合の生じ難いグリルを提供することにある。
【課題を解決するための手段】
【０００７】
本発明は、食材を収容する加熱庫と、加熱庫内の食材を加熱する加熱手段と、食材の出し入れ口となる加熱庫の前面開口部を被閉するグリル扉と、グリル扉が開かれるのに連動して加熱庫内から前面開口部の前方へ引き出され、閉じられるのに連動して加熱庫内へ収容される支持部材と、支持部材の一定位置に着脱可能な状態で載置されるグリルプレートとを備えたグリルであって、加熱庫の前壁に、前面開口部の内周側へ張り出す張り出し部が設けられ、グリルプレートは、上面が食材載置面となる浅皿状のプレート本体部と、プレート本体部の側縁から上方へ向けて延出するフランジ部とを有し、前面開口部の前方へ引き出された支持部材にグリルプレートが上面を下向きとした状態で載置されたときに、前記フランジ部と張り出し部とが対向して配置されるように構成されたものである。
【０００８】
このものでは、グリルプレートが上面を下向きとした裏向きの状態で支持部材に載置された場合は、グリル扉が閉じられる際に、加熱庫の前壁の張り出し部にグリルプレートのフランジ部が当接し、グリルプレートが加熱庫の前面開口部より奥側へ挿入されるのを阻止するから、グリルプレートが加熱庫内部の構成部品に接触するのを防止できる。また、前面開口部内側の張り出し部にグリルプレートのフランジ部が当接することで、グリル扉が閉じられなくなるから、グリルプレートが裏向きのまま使用されるのも防止できる。
【０００９】
また、好ましくは、上記グリルにおいて、グリルプレートは、支持部材のプレート支持部に嵌合する切欠部を有し、前面開口部の前方へ引き出された支持部材にグリルプレートが上面を下向きとした状態で載置されたときに、前記切欠部がプレート支持部に嵌合されるように構成されたものである。
【００１０】
このものでは、グリルプレートが裏向きの状態で支持部材に載置された場合、グリルプレートの切欠部が支持部材のプレート支持部に嵌合されるから、たとえこの状態でグリル扉が閉じられるときに、前面開口部内側の張り出し部にグリルプレートのフランジ部が当接しても、グリルプレートは支持部材から外れ難く、無理に加熱庫内に押し込まれ難い。従って、グリルプレートが加熱庫内部の構成部品に接触するのも、裏向きのまま使用されるのもより確実に防止できる。
【発明の効果】
【００１１】
以上のように、本発明によれば、グリルプレートの誤セットを起因とするグリルの故障や動作不良、加熱庫内の不要な汚れ等の生じ難いグリルを提供することができる。
【図面の簡単な説明】
【００１２】
【図１】図１は、本発明の実施の形態に係るグリルを備えたガスコンロの概略斜視図である。
【図２】図２は、本発明の実施の形態に係るグリルを備えたガスコンロの側面視概略縦断面図である。
【図３】図３は、本発明の実施の形態に係るグリルに組み込まれる支持枠、汁受け皿、および、グリルプレートの概略斜視図である。
【図４】図４は、本発明の実施の形態に係るグリルを備えたガスコンロの前面視概略縦断面図である。
【図５】図５は、本発明の実施の形態に係るグリルの前面開口部の周辺を示す概略斜視図である。
【発明を実施するための形態】
【００１３】
次に、上記した本発明を実施するための形態について、添付図面を参照しながら詳述する。
図１は、本発明の実施の形態に係るグリル２を備えたガスコンロ３であり、天板３１の上面に複数のコンロバーナ３２を有している。また、コンロ本体３０の前面３３には、コンロバーナ３２の点火や消火、火力調整を行うための複数のコンロ用スイッチ３６、および、後述するグリルバーナ５５，５６の点火や消火、火力調整を行うためのグリル用スイッチ３７が設けられている。
【００１４】
グリル２の加熱庫２０は、コンロ本体３０の前面３３から内部後方へ向かって延設されており、食材の出し入れ口となる加熱庫２０の前面開口部２００は、コンロ本体３０の前面３３に開設されている。また、前面開口部２００は、コンロ本体３０の前方からグリル扉２１によって被閉されている。尚、本明細書では、加熱庫２０を前面開口部２００側から見たときの奥行き方向を前後方向、幅方向を左右方向、高さ方向を上下方向という。
【００１５】
また、グリル扉２１の後面下部の左右側辺寄りの位置には、それぞれコンロ本体３０の内部後方へ向かってガイド枠２１１が延設されている。ガイド枠２１１は、それぞれコンロ本体３０の内部にて前後に摺動可能な状態で支持されており、それら両前端にグリル扉２１が連結固定されている。従って、グリル扉２１は、コンロ本体３０の前面３３に対して前後にスライド開閉する。
【００１６】
図２に示すように、グリル扉２１の後面下部には、加熱庫２０の内部へ向かって突出する細幅板状の連結板２１２が設けられている。さらに、連結板２１２の上部には、汁受け皿１６や図示しない焼き網、グリルプレート２２を支持するための支持部材として支持枠１８が連結支持されている。
【００１７】
支持枠１８は、前端が連結板２１２に連結され、後端が加熱庫２０の底壁２４の上面に対して摺動可能な状態で支持されている。従って、支持枠１８は、グリル扉２１が開かれるのに連動して加熱庫２０の内部から前面開口部２００の前方へ引き出され、閉じられるのに連動して加熱庫２０の内部へ収容される。
【００１８】
図３に示すように、支持枠１８は、金属製の丸棒材で形成された略矩形環状の枠体の前後辺をそれぞれ上方に折り曲げて側面視略コ字状に形成した枠本体部１８０と、枠本体部１８０の左右側辺相互間の前後端部にそれぞれ横架される略平板状の板枠部１８５とを備えており、グリル２にてグリルプレート２２を用いた食材の加熱調理（プレート調理）を行う場合は、板枠部１８５の上面に汁受け皿１６が載置され、枠本体部１８０の前後辺に折曲形成されたプレート支持部としての突出部１９０にグリルプレート２２が載置される。従って、汁受け皿１６およびグリルプレート２２は、グリル扉２１を開けば、支持枠１８と共に加熱庫２０の内部から前面開口部２００の前方へ引き出され、閉じれば、支持枠１８と共に加熱庫２０内に収容される。
【００１９】
支持枠１８の前端側の板枠部１８５の下面には、下向きに突出する爪片１９１が形成されており、上記爪片１９１を連結板２１２（図２参照）の図示しない連結孔に嵌挿させることで、支持枠１８と連結板２１２とが連結される。一方、支持枠１８の後端側の板枠部１８５の下面には、金属製の丸棒材を平面視略コ字状に折り曲げて形成された脚部１９２が連結固定されており、上記脚部１９２が加熱庫２０の底壁２４の上面に形成された溝部２４２（図２および図４参照）に対して摺動可能な状態で係合当接している。
【００２０】
図３および図４に示すように、突出部１９０は、左右側辺の端部から上方へ延びる一対の第１上延部１９４と、第１上延部１９４の上端から左右方向内側へ斜め下向きに延びる一対の段部１９５と、段部１９５の内側端部から上方へ延びる一対の第２上延部１９６と、第２上延部１９６の上端相互を繋ぐ水平部１９７とからなり、上記段部１９５にグリルプレート２２が載置される。
【００２１】
また、段部１９５の上端高さ、即ち、グリルプレート２２の支持高さは、支持枠１８を加熱庫２０の内部に収容させたときに、加熱庫２０の左右の側壁２３に設けられた下火バーナ５５の配置高さより上位になるように構成されている。従って、グリルプレート２２を支持枠１８に載置して加熱庫２０の内部に収容させたとき、グリルプレート２２の下面は、下火バーナ５５よりも上方に配置される。
【００２２】
汁受け皿１６は、金属薄板によりプレス成形されたものであり、表面には、耐熱クリア塗装や琺瑯等の仕上げ塗装が施されている。また、図３に示すように、汁受け皿１６は、平面視略矩形の浅皿状に形成された皿本体部１６０と、皿本体部１６０の前後周縁の上端からそれぞれ外側へ延出する一対の前後平端部１６２と、皿本体部１６０の左右周縁の上端からそれぞれ上方外側へ逆Ｌ字状に延出する一対の左右平端部１６４とを備えており、汁受け皿１６を支持枠１８に載置する際には、皿本体部１６０が枠本体部１８０の中央（前後の板枠部１８５相互の間隙）に嵌め込まれ、且つ、前後平端部１６２が前後の板枠部１８５の上面に上方から当接支持される。これにより、汁受け皿１６は、グリル扉２１の後方に位置決め状態で配設される。
【００２３】
グリルプレート２２は、アルミニウム製の板体によりプレス成形されたものであり、表面には、フッ素樹脂加工等の仕上げ塗装が施されている。尚、グリルプレート２２は、アルミダイカストにより形成されたものであってもよいし、アルミニウムに限らず、鉄や銅、セラミック等で形成されたものであってもよい。また、グリルプレート２２は、平面視略矩形の浅皿状に形成されたプレート本体部２２０と、プレート本体部２２０の左右周縁（左右の側縁）からそれぞれ斜め上方外側へ向けて羽根状に延出する一対の左右フランジ部２２１と、プレート本体部２２０の前後周縁からそれぞれ外側へ延出する一対の前後フランジ部２２２とを備えている。
【００２４】
左右フランジ部２２１の前後端部、即ち、グリルプレート２２のコーナー部２２３は、コンロ本体３０の前面３３やグリル扉２１などガスコンロ３の構成部品に接触したときにその被接触部の破損や変形を生じさせ難くするために、前後フランジ部２２２の外側端縁へ向かって斜めに形成されている。尚、図示しないが、前後フランジ部２２２の下面には、支持枠１８の段部１９５に当接する台状凸部が形成されている。
【００２５】
前後フランジ部２２２の端縁中央部には、左右に長い所定幅の切欠部２２５が形成されている。切欠部２２５は、突出部１９０の左右の第２上延部１９６相互の外幅と略同一幅に設定されており、グリルプレート２２を支持枠１８に載置する際には、上記切欠部２２５が突出部１９０の左右の第２上延部１９６相互間に嵌め込まれ、且つ、前後フランジ部２２２が突出部１９０の段部１９５に上方から当接支持される。これにより、グリルプレート２２は、グリル扉２１の後方に位置決め状態で配設される。よって、この状態でグリル扉２１が閉じられると、グリルプレート２２は、加熱庫２０内の一定位置に収容される（図２および図４参照）。
【００２６】
また、グリルプレート２２は、前後方向の中心線および左右方向の中心線を挟んで線対称に形成されており、支持枠１８にグリルプレート２２が上面２２Ａを下向きとした裏向きの状態で載置された場合も表向きで載置された場合と同様、切欠部２２５が突出部１９０の左右の第２上延部１９６相互間に嵌め込まれ、且つ、前後フランジ部２２２が突出部１９０の段部１９５に上方から当接支持され、グリル扉２１の後方に位置決め状態で配設される。
【００２７】
食材載置面となるプレート本体部２２０の上面２２Ａには、食材との接触面積をできるだけ小さくして食材が付着し難くなるように、左右方向に延在する細幅凸状のリブ２２６が前後方向に等間隔で複数並設されている。また、プレート本体部２２０の左右両側端（リブ２２６の左右両端側）の上面には、調理中に食材からプレート本体部２２０の上面２２Ａに滲出した油や水分を回収し、溜めておくための下方に凹の溝部２２７が形成されている。また、隣り合う二つのリブ２２６相互間の谷部を構成する面は、中央から左右両側方の溝部２２７へ向かって緩やかに下方湾曲した連続面で形成されている。従って、調理中に食材からプレート本体部２２０の上面２２Ａに滲出した油や水分は、上記谷部の上面に沿って左右側方へ流れ、溝部２２７に回収される。
【００２８】
図２に示すように、加熱庫２０の後部には、グリルバーナ５５，５６から放出されるガスの燃焼排気や熱気、食材から発生する油煙、臭気成分、水蒸気等を天板３１の排気口３４からガスコンロ３の外部へ排出させるための排気筒２６が延設されている。また、排気筒２６の内底部には、加熱庫２０から排気筒２６へ導出された油煙や臭気成分を加熱消失させるためのアフターバーナ９０が配設されている。
【００２９】
図２および図４に示すように、加熱庫２０の内部には、図示しない焼き網やグリルプレート２２に載置された食材を加熱する加熱手段としてグリルバーナ５５，５６が配設されている。グリルバーナ５５，５６は、加熱庫２０の左右の側壁２３に沿って前後に延設される下火バーナ５５と、加熱庫２０の上壁２５に沿って前後に延設される上火バーナ５６とからなり、プレート調理を行う場合には、下火バーナ５５によってグリルプレート２２を下方から加熱し、上火バーナ５６によって食材やグリルプレート２２を上方から加熱するように構成されている。尚、グリルプレート２２に代えて、図示しない焼き網を用いて食材の加熱調理を行う場合は、下火バーナ５５および上火バーナ５６によって焼き網上の食材を上下左右から加熱する。
【００３０】
下火バーナ５５は、ステンレス製の二つの樋状体を上下に重ね合わせて構成されたバーナであり、樋状体の加熱庫２０の中央側の側端面に沿って複数の炎孔５５０が形成されている。上記炎孔５５０は、加熱庫２０の中央へ向けて略水平にガスを噴出するよう水平横向きに開設されており、点火された際には、炎孔５５０から噴射されたガスの燃焼排気や輻射熱が加熱庫２０内の中央下方域に放射される。これにより、グリルプレート２２が下方から加熱される。
【００３１】
上火バーナ５６は、下面部がセラミック製の板体で構成された表面燃焼式のセラミックバーナであり、上記板体の下面部の略全域に亘って複数の炎孔５６０が形成されている。上記炎孔５６０は、加熱庫２０内の下方へ向けて略垂直にガスを噴出するよう垂直縦向きに開設されており、点火された際には、上記板体の下面全体にガスの燃焼炎が形成され、その燃焼排気や輻射熱が加熱庫２０内に放射される。これにより、食材やグリルプレート２２が上方から加熱される。
【００３２】
図４に示すように、加熱庫２０の左右の側壁２３には、下火バーナ５５を加熱庫２０の内側から覆う整流板２３５が設けられている。上記整流板２３５は、側壁２３から加熱庫２０の中央側へ向かって縮幅する前面視断面略三角形状に形成されており、グリルプレート２２が上面２２Ａを上向きとした表向きの状態で支持枠１８に載置され、加熱庫２０内に収容されたとき、整流板２３５の上面側にグリルプレート２２の左右フランジ部２２１が所定の間隙を存して対向するように構成されている。
【００３３】
図５に示すように、加熱庫２０の前壁２７には、前面開口部２００の内周側へ張り出し、整流板２３５の前端をそれぞれ覆う前面視略三角形状の張り出し部２７１が形成されている。
【００３４】
張り出し部２７１は、前面開口部２００の前方へ引き出された支持枠１８にグリルプレート２２が裏向きの状態で載置されたときに、左右フランジ部２２１の後端側のコーナー部２２３に対向する高さに配設されている。従って、その状態でグリル扉２１を閉じようとしても、グリルプレート２２は、左右フランジ部２２１のコーナー部２２３が張り出し部２７１の前面に当接し、加熱庫２０の前面開口部２００より奥側へ挿入されない。また、このとき、切欠部２２５が突出部１９０の左右の第２上延部１９６相互間に嵌め込まれているため、たとえ左右フランジ部２２１が張り出し部２７１の前面に当接しても、グリルプレート２２は、支持枠１８から容易に外れない。
【００３５】
このように、上記実施の形態によれば、グリルプレート２２が裏向きの状態で支持枠１８に載置された場合は、グリル扉２１が閉じられる際に、前壁２７の張り出し部２７１に左右フランジ部２２１が当接し、グリルプレート２２が加熱庫２０の前面開口部２００より奥側へ挿入されるのを阻止するから、グリルプレート２２が裏向きのまま加熱庫２０内に挿入されて下火バーナ５５や図示しない点火電極、炎検知センサなど加熱庫２０内部の構成部品に接触するのを防止できる。よって、グリルプレート２２の誤セットを起因とするグリル２の故障や動作不良が生じ難い。
【００３６】
また、グリルプレート２２が裏向きの状態でグリル扉２１が閉じられる際に、加熱庫２０の前壁２７に左右フランジ部２２１が当接することで、グリル扉２１が閉じられなくなるから、グリルプレート２２が裏向きのまま使用されるのも防止できる。即ち、調理を行う際には、グリルプレート２２を表向きの状態で支持枠１８に載置する必要がある。よって、当然ながら、調理中に食材から滲出した油や水分が通常使用時とは異なる部位へ漏出および飛散することも少なく、加熱庫２０内の不要な汚れが生じ難い。
【００３７】
特に、このものでは、グリルプレート２２が裏向きの状態で支持枠１８に載置された場合、切欠部２２５が支持枠１８の突出部１９０に嵌合されるから、たとえこの状態でグリル扉２１が閉じられるときに、加熱庫２０の前壁２７に左右フランジ部２２１が当接しても、グリルプレート２２は支持枠１８から外れ難く、無理に加熱庫２０内に押し込まれ難い。従って、グリルプレート２２が加熱庫２０内部の構成部品に接触するのも、裏向きのまま使用されるのもより確実に防止できる。よって、グリルプレート２２の誤セットを起因とするグリル２の故障や動作不良、加熱庫２０内の不要な汚れが一層生じ難い。
【００３８】
また、このものでは、グリルプレート２２が裏向きの状態でグリル扉２１が閉じられる際、斜め形状のコーナー部２２３が加熱庫２０の前壁２７に当接するように構成されているから、前壁２７の破損や変形も生じ難い。
【００３９】
尚、上記実施の形態において、左右フランジ部２２１は、プレート本体部２２０の左右周縁から斜め上方外側へ向けて延出されたものを説明したが、プレート本体部２２０の左右周縁から垂直上方へ向けて延出されたものであってもよいし、プレート本体部２２０の左右周縁から上方外側へ略逆Ｌ字状に延出されたものであってもよい。
【００４０】
また、上記実施の形態では、プレート本体部２２０の左右周縁のそれぞれに左右フランジ部２２１が設けられ、グリルプレート２２が裏向きの状態でグリル扉２１が閉じられる際、左右フランジ部２２１が共に加熱庫２０の前壁２７に当接するように構成されているが、プレート本体部２２０の左右周縁の何れか一方にのみ上方へ延出するフランジ部２２１が設けられ、グリルプレート２２が裏向きの状態でグリル扉２１が閉じられる際、上記フランジ部２２１が加熱庫２０の前壁２７に当接するように構成されたものであってもよい。
【００４１】
また、上記実施の形態において、グリルプレート２２のコーナー部２２３は、斜めに形成されたものを説明したが、左右フランジ部２２１の外側端縁から前後フランジ部２２２の外側端縁へ向かって円弧状に形成されており、グリルプレート２２が裏向きの状態でグリル扉２１が閉じられる際、上記円弧状のコーナー部２２３が加熱庫２０の前壁２７に当接するように構成されたものであってもよい。
【００４２】
上記実施の形態のように、調理中、食材から滲出した油や水分をグリルプレート２２の上面２２Ａに回収し、十分に滞留させておくことができるように構成されたものであれば、汁受け皿１６は、必ずしもグリルプレート２２の下方に配設されていなくてもよい。
【００４３】
本発明は、加熱庫２０の左右の側壁２３にのみグリルバーナが配設され、上壁２５にグリルバーナを有しない構成のグリルにも適用できる。また、本発明は、コンロバーナ３２を有しない加熱調理器のグリルにも適用できるし、グリルバーナに代えて、電気ヒーターなど他の加熱手段を備えたグリルにも適用できる。
【符号の説明】
【００４４】
２      グリル
２０    加熱庫
２００  前面開口部
２１    グリル扉
１８    支持枠（支持部材）
２２    グリルプレート
２２０  プレート本体部
２２１  フランジ部
２７    加熱庫の前壁
２７１  張り出し部
５５    下火バーナ（加熱手段）
【図１】
0005973488.tif 000002
【図２】
0005973488.tif 000003
【図３】
0005973488.tif 000004
【図４】
0005973488.tif 000005
【図５】
0005973488.tif 000006